(57)【要約】【課題】  電源がＯＦＦの状態でも、当該電源ＯＦＦ直前の表示内容を保持する表示パネルを有する画像表示装置において、設置に際する工事費を減少させることができ、設置場所を選ばない画像表示装置を提供する。【解決手段】  本発明に係る画像表示装置１００は、電源がＯＦＦの状態でも表示内容を保持する表示パネルを有している。さらに、画像表示装置１００は、所定のポート２，１０を有している。当該ポート２，１０は、携帯可能な電源供給源２００等を一時的に接続するためのものであり、当該ポート２，１０を介して、電源供給源２００等から画像表示装置１００に電源が供給される。【選択図】  図１
2006154042.tif 000002
【特許請求の範囲】
【請求項１】
電源がＯＦＦの状態でも表示内容を保持する表示パネルと、
携帯可能な電源供給源を一時的に接続するための第一のポートと、
前記第一のポートから供給される前記電源供給源からの電源により内部回路へ駆動電源を供給する電源回路部と、を備えている、
ことを特徴とする画像表示装置。
【請求項２】
前記表示パネルに表示される画像データを記憶する記憶部と、
前記表示パネルに表示される画像データを選択する操作部と、
前記操作部の操作に基いて選択された画像データを前記記憶部から検索し、前記選択された画像データを検出した場合には、当該選択された画像データを前記表示パネルに表示させる制御部とを、さらに備えている、
ことを特徴とする請求項１に記載の画像表示装置。
【請求項３】
画像データを含む制御コマンドを前記画像表示装置へ伝送する、携帯可能なコントローラを一時的に接続するための第二のポートと、
前記制御コマンドに基いて、前記画像データに関する所定の制御処理を実施する制御部とを、さらに備えている、
ことを特徴とする請求項１または請求項２に記載の画像表示装置。
【請求項４】
画像データを含む制御コマンドを、外部からの無線信号として受信する無線部と、
前記制御コマンドに基いて、前記画像データに関する所定の制御処理を実施する制御部とを、さらに備えている、
ことを特徴とする請求項１または請求項２に記載の画像表示装置。
【請求項５】
電源がＯＦＦの状態でも表示内容を保持する表示パネルと、
蓄電機能を有する携帯可能なコントローラを一時的に接続するためのポートと、
前記ポートから供給される前記コントローラからの電源により内部回路へ駆動電源を供給する電源回路部と、
前記ポートから伝送される前記コントローラからの、画像データを含む制御コマンドの制御に基いて、前記画像データに関する所定の制御処理を実施する制御部と、を備えている、
ことを特徴とする画像表示装置。
【請求項６】
前記表示パネルに表示される画像データを記憶する記憶部を、さらに備えている、
ことを特徴とする請求項５に記載の画像表示装置。
【請求項７】
前記コントローラは、前記画像表示装置に対する操作が可能であり、
前記制御部は、
前記コントローラからの操作を受けて、前記記憶部に記憶されている前記画像データを読み出し、前記表示パネルに当該読み出した画像データを表示させる、
ことを特徴とする請求項６に記載の画像表示装置。
【発明の詳細な説明】
【技術分野】
【０００１】
この発明は、画像表示装置に係る発明であり、特に、電源がＯＦＦの状態でも、電源をＯＦＦする直前の表示内容を保持する表示パネルを有する画像表示装置に関するものである。
【背景技術】
【０００２】
従来、電源がＯＦＦの状態でも、電源をＯＦＦする直前の表示内容を保持する画像表示装置として、例えば、コレステリック液晶を用いた反射型表示装置等が存する。
【０００３】
当該電源を与えなくても表示内容を保持することができる画像表示装置においても、表示内容を変更する場合等には、電源が必要である。したがって、当該画像表示装置は、電源コンセントに接続され、そこから供給される電源を受けて、表示内容の変更等を行っていた。
【０００４】
当該画像表示装置を使用することにより、表示内容を保持（表示）し続ける間も電源が必要な、ＰＤＰ（プラズマ表示装置）やＬＣＤ（液晶表示装置）と比較して、電力量が少なくても済む、という効果がある。
【０００５】
なお、本発明に関連する先行技術として、特許文献１ないし４がある。
【０００６】
【特許文献１】特開平１１−２３１９７９号公報
【特許文献２】特開２００１−９２５６８号公報
【特許文献３】特開２００３−４４１７１号公報
【特許文献４】実開昭５８−１６９７７２号公報
【発明の開示】
【発明が解決しようとする課題】
【０００７】
上述した従来の大型の画像表示装置への電源供給のためには、当該画像表示装置の近傍に電源コンセントが設置される必要がある。当該インフラ工事には多大な費用を要するという問題があった。
【０００８】
さらに、上記インフラ工事ができないような場所には、大型の画像表示装置の設置は不可能であり、設置場所の自由度が減少するという問題もあった。
【０００９】
そこで、この発明は、電源がＯＦＦの状態でも、当該電源ＯＦＦ直前の表示内容を保持する表示パネルを有する画像表示装置において、設置に際する工事費を減少させることができ、設置場所を選ばない画像表示装置を提供することを目的とする。
【課題を解決するための手段】
【００１０】
上記の目的を達成するために、本発明に係る請求項１に記載の画像表示装置は、電源がＯＦＦの状態でも表示内容を保持する表示パネルと、携帯可能な電源供給源を一時的に接続するための第一のポートと、前記第一のポートから供給される前記電源供給源からの電源により内部回路へ駆動電源を供給する電源回路部と、を備えている。
【００１１】
また、本発明に係る請求項５に記載の画像表示装置は、電源がＯＦＦの状態でも表示内容を保持する表示パネルと、蓄電機能を有する携帯可能なコントローラを一時的に接続するためのポートと、前記ポートから供給される前記コントローラからの電源により駆動回路へ駆動電源を供給する電源回路部と、前記ポートから伝送される前記コントローラからの、画像データを含む制御コマンドの制御に基いて、前記画像データに関する所定の制御処理を実施する制御部と、を備えている。
【発明の効果】
【００１２】
本発明の請求項１に記載の画像表示装置は、電源がＯＦＦの状態でも表示内容を保持する表示パネルと、携帯可能な電源供給源を一時的に接続するための第一のポートと、前記第一のポートから供給される前記電源供給源からの電源により内部回路へ駆動電源を供給する電源回路部と、を備えているので、特段、電源コンセントの設置等のインフラ作業を要しない。よって、画像表示装置の設置に際する費用を削減することができ、また、当該画像表示装置の設置場所の自由度が格段に増加する。
【００１３】
また、本発明の請求項５に記載の画像表示装置は、電源がＯＦＦの状態でも表示内容を保持する表示パネルと、蓄電機能を有する携帯可能なコントローラを一時的に接続するためのポートと、前記ポートから供給される前記コントローラからの電源により駆動回路へ駆動電源を供給する電源回路部と、前記ポートから伝送される前記コントローラからの、画像データを含む制御コマンドの制御に基いて、前記画像データに関する所定の制御処理を実施する制御部と、を備えているので、画像データに関する所定の制御処理を実施する場合にも、当該画像表示装置の設置場所に、特段、電源コンセントの設置等を要しない。よって、画像表示装置の設置に際する費用を削減することができ、また、当該画像表示装置の設置場所の自由度が格段に増加する。
【発明を実施するための最良の形態】
【００１４】
以下、この発明をその実施の形態を示す図面に基いて具体的に説明する。
【００１５】
＜実施の形態１＞
図１は、本実施の形態に係る画像表示装置の構成を示すブロック図である。
【００１６】
図１に示すように、画像表示装置１００は、表示パネル１、電源供給源ポート（第一のポートと把握できる）２、電源回路部３、記憶部４、操作部５、制御部６、および表示パネル駆動回路７により構成されている。
【００１７】
表示パネル１は、電源がＯＦＦの状態でも、電源ＯＦＦ処理直前の表示内容を保持（表示）するものである。表示パネル１として、例えば反射型表示パネルや電子インク表示パネル等がある。
【００１８】
電源供給源ポート２は、携帯可能な電源供給源２００と、接続切断可能な接続部である。画像表示装置１００が電源を必要とする場合（例えば、表示パネル１に表示される画像を変更する場合）に、当該電源供給源ポート２に電源供給源２００が一時的に接続される。ここで、電源供給源２００として、小型のバッテリー等がある。
【００１９】
電源回路部３は、電源供給源ポート２から供給される電源供給源２００からの電源を基に、所定の駆動電源を生成する。そして、電源回路部３は、所定の回路（例えば、後述する制御部６等の内部回路）を駆動させるために、当該所定の回路へ上記生成された駆動電源を供給する。
【００２０】
記憶部４は、表示パネル１に表示される画像データを記憶（蓄積）する装置である。当該記憶部４には、通常複数の画像データが記憶されている。そして、必要な場合には、記憶部４に新たな画像データを外部から追加することもでき、また、記憶部４は、画像データの書き換えも可能である。記憶部４には、デジタルデータ化された画像データが記憶されている。
【００２１】
操作部５は、表示パネル１に表示される画像データを、記憶部４に記憶されている複数の画像データから選択する場合等に、ユーザにより操作される装置である。操作部５として、例えばキーボードを採用することができる。
【００２２】
制御部６は、操作部５からの上記操作に基いて選択された画像データを記憶部４から検索する。そして、制御部６は、選択された画像データを記憶部４から検出した場合には、記憶部４から当該選択された画像データを読み出す。そして、制御部４は、表示パネル駆動回路７を介して、当該読み出した画像データを表示パネル１に表示させる。
【００２３】
次に、本実施の形態に係る画像表示装置１００が有する各回路等の接続関係について説明する。
【００２４】
図１に示すように、電源供給源ポート２は、電源回路部３に接続されている。また、電源回路部３は、表示パネル１、表示パネル駆動回路７、記憶部４および制御部６等に接続されている。また、制御部６は、操作部５、表示パネル駆動回路７および記憶部４に接続されている。また、記憶部４は、表示パネル駆動回路７と接続されており、当該表示パネル駆動回路７は、表示パネル１に接続されている。
【００２５】
次に、本実施の形態に係る画像表示装置１００の動作について、図２に示すフローチャートに基いて説明する。なお、以下では、表示パネル１に表示させる画像データを更新する場合について説明する。
【００２６】
画像表示装置１００が電源を要する場合（ここでは、画像データを更新する場合）、当該画像表示装置１００が有する電源供給源ポート２に、電源供給源２００を一時的に接続する（ステップＳ１）。当該接続処理は、人為的に行われる。
【００２７】
ステップＳ１において画像表示装置１００に電源が供給されると、電源回路部３は、当該供給された電源を基に各種駆動電源を生成し、各内部回路へ当該生成された駆動電源を供給する（ステップＳ２）。
【００２８】
次に、ユーザは、操作部５を操作することにより、次に表示パネル１に表示させる画像データを選択する（ステップＳ３）。当該画像データの選択は、例えば画像データ毎に番号を付与し、当該番号を選択することにより行っても良い。
【００２９】
ステップＳ３において画像データを選択されると、制御部６は、記憶部４に選択された画像データが存在するか否かの検索処理を行う（ステップＳ４）。
【００３０】
次に、制御部６は、ステップＳ４での検索結果を判定する（ステップＳ５）。
【００３１】
ステップＳ３において選択された画像データが記憶部４に存在する（記憶されている）場合（ステップＳ５で「ＹＥＳ」）には、制御部６は、記憶部４に存する選択された画像データを記憶部４から読み出す（ステップＳ６）。
【００３２】
これに対して、ステップＳ３において選択された画像データが記憶部４に存在しない（または、正常に検出できなかった）場合（ステップＳ５で「ＮＯ」）には、制御部６は、所定のエラーメッセージから成る画像データを、記憶部４から読み出す（ステップＳ７）。
【００３３】
ここで、記憶部４に選択された画像データが存在しない場合とは、例えば、記憶部４に記憶されていた画像データが、何らかの理由により破壊された場合、または、画像データが未保存あるいは削除されている場合等である。
【００３４】
また、記憶部４に選択された画像データが正常に検出できなかった場合とは、例えば、記憶部４に記憶されている画像データが、画像表示装置１００で表示できない形成で記憶されている場合等である。
【００３５】
なお、ステップＳ７において読み出される所定のエラーメッセージから成る画像データは、例示列挙した上記各場合に対応したメッセージであっても良い。
【００３６】
さて次に、制御部６は、ステップＳ６あるいはＳ７で読み出された画像データを、表示パネル駆動回路７を介して、表示パネル１に表示させる（ステップＳ８）。
【００３７】
次に、電源供給源２００が、電源供給ポート２に未だ接続されている場合には（ステップＳ９で「ＮＯ」）、ユーザは、もし画像表示装置を更新したいのなら、ステップＳ３からの処理を開始することができる（ステップＳ３からＳ９）。
【００３８】
これに対して、電源供給源２００が、電源供給ポート２から切断された場合には（ステップＳ９で「ＹＥＳ」）、表示パネル１は、当該切断直前の画像データを保持（表示）し続ける。なお、表示パネル１は、電源の供給を得なくても、画像データを保持（表示）し続ける。
【００３９】
以上のように、本実施の形態に係る画像表示装置１００には、電源がＯＦＦの状態でも、電源ＯＦＦ処理直前の表示内容を保持（表示）し続ける表示パネル１と、携帯可能な電源供給源２００と、接続切断可能な電源供給源ポート２とを有している。
【００４０】
したがって、例えば上記の様に画像データを更新する場合等、大型の画像表示装置１００が電源の供給を要する場合にのみ、電源供給源ポート２に電源供給源２００を接続すれば良いので、特段、電源コンセントの設置等のインフラ作業を要しない。
【００４１】
よって、特に、大型の画像表示装置１００の設置に際する費用を削減することができ、また、当該画像表示装置１００の設置場所の自由度が格段に増加する。これにより、本実施の形態に係る画像表示装置１００は、街中に設置される電子看板等として利用されることが期待できる。
【００４２】
また、本実施の形態に係る画像表示装置１００は、上記機能を有する、記憶部２、操作部５および制御部６も備えている。したがって、表示パネル１に表示される画像データの更新を行うことができる。
【００４３】
＜実施の形態２＞
図３は、本実施の形態に係る画像表示装置の構成を示すブロック図である。
【００４４】
図３に示す画像表示装置１００は、データ伝送ポート（第二のポートと把握できる）８を備えている点において、図１に示した画像表示装置１００と異なる。その他の構成は両画像表示装置１００（図１，３）で同じであるので、ここでの説明は省略する。なお、図３に示すように、データ伝送ポート８は、制御部６と接続されている。
【００４５】
データ伝送ポート８は、携帯可能なコマンド送信装置（以下、コントローラと称する）３００と、接続切断可能な接続部である。
【００４６】
ここで、コントローラ３００は、画像データを含む制御コマンドを画像表示装置１００へ伝送する装置である。画像表示装置１００の記憶部４に新たな画像データを記憶させる場合や、外部から伝送される画像データを表示パネル１に表示させる場合等に、当該データ伝送ポート８にコントローラ３００が一時的に接続される。
【００４７】
ここで、コントローラ３００として、例えばＰＤＡ（Ｐｅｒｓｏｎａｌ  Ｄｉｇｉｔａｌ  Ａｓｓｉｓｔａｎｔ）等の携帯型小型端末等がある。当該コントローラ３００には、複数の（単一でも良い）画像データが予めに保存されている。
【００４８】
なお、データ伝送ポート８とコントローラ３００とは、ＵＳＢ（Ｕｎｉｖｅｒｓａｌ  Ｓｅｒｉａｌ  Ｂｕｓ）やＲＳ（Ｒｅｃｏｍｍｅｎｄｅｄ  Ｓｔａｎｄａｒｄ）−２３２Ｃ等を介して接続されても良い。
【００４９】
また、本実施の形態に係る画像表示装置１００の制御部６は、以下に示す制御コマンドに基いて、画像データに関する以下の制御処理を実施する。
【００５０】
次に、本実施の形態に係る画像表示装置１００の動作を、図４に示すフローチャートに基いて説明する。
【００５１】
まず、画像表示装置１００の記憶部４に新たな画像データを記憶させる場合や、外部から伝送される画像データを表示パネル１に表示させる場合等に、電源供給源ポート２に電源供給源２００を接続すると伴に、データ伝送ポート８にコントローラ３００を一時的に接続する（ステップＳ２１）。当該接続処理は、人為的に行われる。また、データ伝送ポート８とコントローラ３００とは、ＵＳＢやＲＳ−２３２Ｃ等を介して接続しても良い。
【００５２】
ステップＳ２１において画像表示装置１００に電源が供給されると、電源回路部３は、当該供給された電源を基に各種駆動電源を生成し、各内部回路へ当該生成された駆動電源を供給する（ステップＳ２２）。
【００５３】
次に、ユーザがコントローラ３００を操作することにより、データ伝送ポート８を介して、所定の制御コマンドを画像表示装置１００へ伝送する（ステップＳ２３）。図５に、本実施の形態に係る画像表示装置１００に伝送される、制御コマンドＣ１００の一例を示す。
【００５４】
図５に示すように、制御コマンドＣ１００は、６４ｂｉｔのコマンド部Ｃ１０と可変長のデータ部Ｃ２０とから構成されている。コマンド部Ｃ１０は、３２ｂｉｔの第一のコマンドＣ１と３２ｂｉｔの第二のコマンドＣ２とから成る。
【００５５】
第一のコマンドＣ１は、画像表示装置１００の制御部６が制御コマンドＣ１００を正常に受信できたか否かを識別するために、使用される部分である。また、第二のコマンドＣ２は、制御部６がどのような種類の制御を実施するかを判断するために、使用される部分である。
【００５６】
第二のコマンドＣ２の制御種別として、例えば、データ部Ｃ２０のバイナリデータを画像表示装置１００の記憶部４に記憶させる制御や、記憶部４の記憶を行わずに直接、当該バイナリデータを表示パネル１に表示させる制御等がある。
【００５７】
なお、上述したように、データ部Ｃ２０は、デジタル画像データを表すバイナリデータである。
【００５８】
さて、ステップＳ２３において所定の制御コマンドＣ１００が画像表示装置１００へ伝送されると、画像表示装置１００の制御部６は、当該制御コマンドＣ１００を受信し、第一のコマンドＣ１を基に、制御コマンドＣ１００を正常に受信できたか否かを判断する（ステップＳ２４）。
【００５９】
制御部６が制御コマンドＣ１００を正常に受信したと判断した場合には（ステップＳ２４で「ＹＥＳ」）、制御部６は、第二のコマンドＣ２に応じた制御処理を実施する（ステップＳ２５）。
【００６０】
例えば、第二のコマンドＣ２が「保存」の場合には、制御部６は、データ部Ｃ２０のバイナリデータ（画像データ）を記憶部４へ記憶させる（追加記憶でもデータの書き換えでも良く、第二のコマンドＣ２のコマンド内容によりどちらかを決定できる）。また、例えば、第二のコマンドＣ２が「表示」の場合には、制御部６は、データ部Ｃ２０のバイナリデータ（画像データ）を表示パネル駆動回路７を介して、表示パネル１に表示させる。
【００６１】
これに対して、制御部６が制御コマンドＣ１００を正常に受信できなかったと判断した場合には（ステップＳ２４で「ＮＯ」）、制御部６は、制御コマンドＣ１００を正常に受信できなかった旨のエラーメッセージを、データ伝送ポート８を介してコントローラ３００に伝送する（ステップＳ２６）。
【００６２】
これにより、ユーザは、制御コマンドＣ１００の伝送に失敗したことに気づく。したがって、必要であれば再度、ユーザは、所定の制御コマンドＣ１００を伝送することができる（ステップＳ２３）。
【００６３】
次に、電源供給源２００が電源供給ポート２に未だ接続されており、かつコントローラ３００がデータ伝送ポート８に未だ接続されている場合には（ステップＳ２７で「ＮＯ」）、ユーザは、もし画像データを含む制御コマンドＣ１００の伝送を続けたいなら、ステップＳ２３からの処理を開始することができる（ステップＳ２３からＳ２７）。
【００６４】
これに対して、電源供給源２００およびコントローラ３００が、各ポート２，８から切断された場合には（ステップＳ２７で「ＹＥＳ」）、表示パネル１は、当該切断直前の画像データを保持（表示）し続ける。なお、表示パネル１は、電源の供給を得なくても、画像データを保持（表示）し続ける。
【００６５】
本実施の形態に係る画像表示装置１００は、上記構成のデータ伝送ポート８を有しているので、簡易な作業により、記憶部４に記憶されていない画像データを外部（コントローラ３００）から画像表示装置１００内に伝送することができる。そして、当該外部（コントローラ３００）からの画像データを、記憶部４に追加記憶させたり、上書き記憶させたり、または記憶部４に記憶させること無く直接、表示パネル１へ表示させることもできる。
【００６６】
＜実施の形態３＞
図６は、本実施の形態に係る画像表示装置の構成を示すブロック図である。
【００６７】
図６に示す画像表示装置１００は、無線部９を備えている点において、図１に示した画像表示装置１００と異なる。その他の構成は両画像表示装置１００（図１，６）で同じであるので、ここでの説明は省略する。なお、図６に示すように、無線部９は、制御部６に接続されている。
【００６８】
無線部９は、画像データを含む制御コマンドを、外部からの無線信号として受信することができる。
【００６９】
画像表示装置１００の記憶部４に新たな画像データを記憶させる場合や、外部から伝送される画像データを表示パネル１に表示させる場合等に、外部に存する（画像表示装置１００から離れた場所に存する）情報配信局４００からネットワーク経由で、画像データを含む制御コマンドを無線信号として画像表示装置１００の無線部９に向けて送信する。なお、本実施の形態で取り扱われる制御コマンド形式は、図５と同様の体系である。
【００７０】
なお、上記記憶部４の新たな画像データの記憶は、追加記憶でもデータの書き換えでも良く、第二のコマンドＣ２のコマンド内容によりどちらかを決定できる。
【００７１】
無線部９として、例えば無線ＬＡＮ（Ｌｏｃａｌ  Ａｒｅａ  Ｎｅｔｗｏｒｋ）デバイスを採用することができる。また、情報発信局４００は、画像表示装置１００に制御コマンドＣ１００を配信するサーバとして機能する。当該情報発信局４００には、複数の（単一でも良い）画像データが予めに保存されている。
【００７２】
また、本実施の形態に係る画像表示装置１００の制御部６は、図５で示した制御コマンドＣ１００に基いて、画像データに関する以下に示す制御処理を実施する。
【００７３】
次に、本実施の形態に係る画像表示装置１００の動作を、図７に示すフローチャートに基いて説明する。
【００７４】
まず、画像表示装置１００の記憶部４に新たな画像データを記憶させる場合や、外部から伝送される画像データを表示パネル１に表示させる場合等に、電源供給源ポート２に電源供給源２００を一時的に接続する（ステップＳ３１）。当該接続処理は、人為的に行われる。
【００７５】
ステップＳ３１において画像表示装置１００に電源が供給されると、電源回路部３は、当該供給された電源を基に各種駆動電源を生成し、各内部回路へ当該生成された駆動電源を供給する（ステップＳ３２）。
【００７６】
次に、制御部６に駆動電源が供給されると、制御部６は、無線部９を介して、予め設定された情報発信局４００とのコネクションを自動的に確立する（ステップＳ３３）。そして、当該コネクションの確立後、制御部６は、無線部９を介して制御コマンド要求信号を送信する。
【００７７】
遠隔に存する情報発信局４００は、上記制御コマンド要求信号を受信する。そして、当該制御コマンド要求信号に従い、ユーザは遠隔より、所定の制御コマンドＣ１００を画像表示装置１００に対して送信する（ステップＳ３４）。
【００７８】
ここで、当該送信処理は、ユーザが情報発信局４００を操作することにより行われる。また、送信される制御コマンドＣ１００は、図５に示す体系のものであり、無線信号として送信される。
【００７９】
次のステップ以降は、実施の形態２と同様である。
【００８０】
つまり、所定の制御コマンドＣ１００が画像表示装置１００へ送信されると、画像表示装置１００の制御部６は、当該制御コマンドＣ１００を受信する。そして、制御部６は、第一のコマンドＣ１を基に、制御コマンドＣ１００を正常に受信できたか否かを判断する（ステップＳ３５）。
【００８１】
制御部６が制御コマンドＣ１００を正常に受信したと判断した場合には（ステップＳ３５で「ＹＥＳ」）、制御部６は、第二のコマンドＣ２に応じた制御処理を実施する（ステップＳ３６）。
【００８２】
これに対して、制御部６が制御コマンドＣ１００を正常に受信できなかったと判断した場合には（ステップＳ３５で「ＮＯ」）、制御部６は、制御コマンドＣ１００を正常に受信できなかった旨のエラーメッセージを、無線部９を介して情報発信局４００に送信する（ステップＳ３７）。
【００８３】
これにより、遠隔に存するユーザは、制御コマンドＣ１００の伝送に失敗したことに気づく。したがって、必要であれば再度、ユーザは、情報発信局４００から所定の制御コマンドＣ１００を送信することができる（ステップＳ３４）。
【００８４】
次に、電源供給源２００が電源供給ポート２に未だ接続されている場合には（ステップＳ３８で「ＮＯ」）、ユーザは、もし画像データを含む制御コマンドＣ１００の送信を続けたいなら、ステップＳ３４からの処理を開始することができる（ステップＳ３４からＳ３８）。
【００８５】
これに対して、電源供給源２００が、電源供給源ポート２から切断された場合には（ステップＳ３８で「ＹＥＳ」）、表示パネル１は、当該切断直前の画像データを保持（表示）し続ける。なお、表示パネル１は、電源の供給を得なくても、画像データを保持（表示）し続ける。
【００８６】
本実施の形態に係る画像表示装置１００は、上記構成の無線部９を有しているので、実施の形態２に記載した効果に加えて、以下の効果を有する。
【００８７】
つまり、本実施の形態では、無線を使用した、制御コマンドＣ１００の送信が可能となる。したがって、現場に直接足を運ぶこと無く、ユーザは、情報発信局４００から遠隔操作により、制御コマンドＣ１００を画像表示装置１００に送信することができる。
【００８８】
また、本実施の形態に係る複数の画像表示装置１００が、複数の場所に設置されていたとしても、ユーザは、一の場所に存する情報発信局４００から遠隔操作により、各画像表示装置１００に対して制御コマンドＣ１００の送信を行うことができる。つまり、本実施の形態に係る画像表示装置１００を採用することにより、複数の画像表示装置１００に表示させる画像データを、一の情報発信局４００において容易に一括管理することができる。
【００８９】
＜実施の形態４＞
図８は、本実施の形態に係る画像表示装置の構成を示すブロック図である。
【００９０】
図８に示すように、画像表示装置１００は、表示パネル１、電源供給／データ伝送ポート１０、電源回路部３、記憶部４、制御部６、および表示パネル駆動回路７により構成されている。
【００９１】
表示パネル１は、実施の形態１と同様、電源がＯＦＦの状態でも、電源ＯＦＦ処理直前の表示内容を保持（表示）するものである。
【００９２】
電源供給／データ伝送ポート１０は、携帯可能なコントローラ５００と、接続切断可能な接続部である。画像表示装置１００が電源を必要とする場合（例えば、表示パネル１に表示される画像を変更する場合）、または、画像表示装置１００に画像データを含む制御コマンドを伝送する場合に、当該電源供給／データ伝送ポート１０にコントローラ５００が一時的に接続される。ここで、コントローラ５００として、例えばＵＳＢポートを有するＰＤＡ等の携帯型小型端末を採用することができる。この場合には、画像表示装置１００とコントローラ５００とは、データの伝送と電源の供給とが可能なケーブル（例えば、ＵＳＢケーブル等）を用いて接続される。
【００９３】
ここで、携帯可能なコントローラ５００は、蓄電機能を有しており、画像表示装置１００に対して電源を供給することができる。さらに、当該コントローラ５００は、画像データを含む制御コマンドを伝送することができる。また、コントローラ５００は、画像表示装置１００に対する操作（例えば、記憶部４に記憶されている画像データを読み出し、当該読み出した画像データを表示パネル１に表示（更新）させる操作等）が可能である。
【００９４】
電源回路部３は、電源供給／データ伝送ポート１０から供給されるコントローラ５００からの電源を基に、所定の駆動電源を生成する。そして、電源回路部３は、所定の回路（例えば、後述する制御部６等の内部回路）を駆動させるために、当該所定の回路へ上記生成された駆動電源を供給する。
【００９５】
記憶部４は、表示パネル１に表示される画像データを記憶（蓄積）する装置である。当該記憶部４には、通常複数の画像データが記憶されている。そして、必要な場合には、記憶部４に新たな画像データを外部から追加することもでき、また、記憶部４は、画像データの書き換えも可能である。記憶部４には、デジタルデータとして、画像データが記憶されている。
【００９６】
制御部６は、電源供給／データ伝送ポート１０から伝送されるコントローラ５００からの、画像データを含む制御コマンドの制御に基いて、画像データに関する以下に示す制御処理を実施する。
【００９７】
次に、本実施の形態に係る画像表示装置１００が有する各回路等の接続関係について説明する。
【００９８】
図８に示すように、電源供給／データ伝送ポート１０は、電源回路部３および制御部６に接続されている。また、電源回路部３は、表示パネル１、表示パネル駆動回路７、記憶部４および制御部６等に接続されている。また、制御部６は、表示パネル駆動回路７および記憶部４に接続されている。また、記憶部４は、表示パネル駆動回路７と接続されており、当該表示パネル駆動回路７は、表示パネル１に接続されている。
【００９９】
次に、本実施の形態に係る画像表示装置１００の動作について、説明する。
【０１００】
はじめに、電源供給／データ伝送ポート１０を介して、画像表示装置１００とコントローラ５００とを一時的に接続する。ここで、当該接続は、例えば以下の場合に行う。
【０１０１】
つまり、画像表示装置１００に対して電源を供給する必要が生じた場合、コントローラ５００の操作により表示パネル１に記憶部４から読み出した画像データを表示（更新）する場合、または画像表示装置１００に対して外部から画像データを伝送する場合等である。なお、電源供給／データ伝送ポート１０に対するコントローラ５００の接続は、電源供給およびデータ伝送等が可能なケーブルを用いて行われる。
【０１０２】
以下においてはまず、画像表示装置１００に対して外部から画像データを伝送する場合について説明する。
【０１０３】
さて、上記接続が行われると、コントローラ５００から電源供給／データ伝送ポート１０を介して、電源が電源回路部３に供給される。
【０１０４】
電源の供給を受けた電源回路部３は、当該供給された電源を基に各種駆動電源を生成し、各内部回路へ当該生成された駆動電源を供給する。
【０１０５】
次に、ユーザがコントローラ５００を操作することにより、電源供給／データ伝送ポート１０を介して、画像データを含む所定の制御コマンドを画像表示装置１００へ伝送する。ここで、伝送される制御コマンド形式は、図５に示した体系と同じである。
【０１０６】
その後の画像表示装置１００の動作は、実施の形態２で説明した、図４のステップＳ２４以降の動作と同じである。したがって、ここでの詳細な説明は省略する。
【０１０７】
次に、コントローラ５００の操作により表示パネル１に記憶部４から読み出した画像データを表示（更新）する場合について説明する。
【０１０８】
はじめに、電源供給／データ伝送ポート１０に対してコントローラ５００を接続する。
【０１０９】
当該接続が行われると、コントローラ５００から電源供給／データ伝送ポート１０を介して、電源が電源回路部３に供給される。
【０１１０】
電源の供給を受けた電源回路部３は、当該供給された電源を基に各種駆動電源を生成し、各部へ当該生成された駆動電源を供給する。
【０１１１】
次に、ユーザがコントローラ５００を操作することにより、次に表示パネル１に表示させる画像データを選択する（ステップＳ３）。
【０１１２】
その後の画像表示装置１００の動作は、実施の形態１で説明した、図４のステップＳ４以降の動作と同じである。したがって、ここでの詳細な説明は省略する。
【０１１３】
以上のように本実施の形態に係る画像表示装置１００は構成されているので、本実施の形態に係る画像表示装置１００は、実施の形態１，２と同様の効果を有することができる。
【０１１４】
例えば、本実施の形態に係る画像表示装置１００は、上記構成の表示パネル１と、携帯可能なコントローラ５００と、接続切断可能な電源供給／データ伝送ポート１０と、制御コマンドＣ１００の制御に基いて、画像データに関する所定の制御処理を実施する制御部６とを備えている。
【０１１５】
したがって、例えば、表示パネル１に外部から伝送される画像データを表示（更新）させることができる。
【０１１６】
また、本実施の形態に係る画像表示装置１００は、画像データの記憶・書き換えが可能な記憶部４を備えている。したがって、例えば、外部から伝送される画像データを当該記憶部４に記憶させることができ、あるいは既に記憶されている画像データを外部から伝送される画像データに置換することもできる。
【０１１７】
また、制御部６は、コントローラ５００からの操作を受けて、記憶部４に記憶されている画像データを読み出し、表示パネルに当該読み出した画像データを表示させる機能も有している。したがって、コントローラ５００からの操作により、容易に、表示パネル１に表示されている画像データを記憶部４に記憶されている画像データに更新することができる。
【０１１８】
なお、本実施の形態では、コントローラ５００の操作により、表示パネル１に表示されている画像データを記憶部４に記憶されている画像データに更新する場合について言及した。
【０１１９】
しかし、当該操作機能を有するキーボード等の操作部を画像表示装置１００に備えている構成を採用しても良い。
【図面の簡単な説明】
【０１２０】
【図１】実施の形態１に係る画像表示装置の構成を示すブロック図である。
【図２】実施の形態１に係る画像表示装置の動作を示すフローチャートである。
【図３】実施の形態２に係る画像表示装置の構成を示すブロック図である。
【図４】実施の形態２に係る画像表示装置の動作を示すフローチャートである。
【図５】制御コマンドの体系を示す図である。
【図６】実施の形態３に係る画像表示装置の構成を示すブロック図である。
【図７】実施の形態３に係る画像表示装置の動作を示すフローチャートである。
【図８】実施の形態４に係る画像表示装置の構成を示すブロック図である。
【符号の説明】
【０１２１】
１  表示パネル、２  電源供給源ポート（第一のポート）、３  電源回路部、４  記憶部、５  操作部、６  制御部、７  表示パネル駆動回路、８  データ伝送ポート（第二のポート）、９  無線部、１０  電源供給／データ伝送ポート、１００  画像表示装置、２００  電源供給源、３００，５００  コントローラ、４００  情報発信局。
【図１】
2006154042.tif 000003
【図２】
2006154042.tif 000004
【図３】
2006154042.tif 000005
【図４】
2006154042.tif 000006
【図５】
2006154042.tif 000007
【図６】
2006154042.tif 000008
【図７】
2006154042.tif 000009
【図８】
2006154042.tif 000010